(57)【要約】【課題】本体部から延設された延長片で背面側を覆い、バックルの結合時に布地等を挟み込むことを回避することができ、容易に挟み込み防止対策を施すことができるようにする。【解決手段】雌雄結合される雄バックルＭと雌バックルＦの内の一方に嵌着したカバー本体Ｈと、このカバー本体Ｈから突出して雌雄バックルＭ、Ｆの他方の少なくとも背面の一部を覆う延長片Ｅとを有したバックルカバーであって、雄バックルＭはベルト取付部Ｍ２を有する雄本体Ｍ１から差込部Ｍ３を突出しており、雌バックルＦはベルト取付部Ｆ２を有する雌本体Ｆ１に雄バックルＭの差込部Ｍ３を差し込んで係合するソケット部Ｆ３を形成しており、カバー本体Ｈは雄本体Ｍ１と雌本体Ｆ１の内の一方に嵌着し、延長片Ｅは雌雄結合された雄本体Ｍ１と雌本体Ｆ１の内の他方の少なくとも背面の一部を覆う。【選択図】図１
2010042101.tif 000002
【特許請求の範囲】
【請求項１】
雌雄結合される雄バックル（Ｍ）と雌バックル（Ｆ）の内の一方に嵌着したカバー本体（Ｈ）と、このカバー本体（Ｈ）から突出して前記雌雄バックル（Ｍ、Ｆ）の他方の少なくとも背面の一部を覆う延長片（Ｅ）とを有することを特徴とするバックルカバー。
【請求項２】
前記雄バックル（Ｍ）はベルト取付部（Ｍ２）を有する雄本体（Ｍ１）から差込部（Ｍ３）を突出しており、前記雌バックル（Ｆ）はベルト取付部（Ｆ２）を有する雌本体（Ｆ１）に前記雄バックル（Ｍ）の差込部（Ｍ３）を差し込んで係合するソケット部（Ｆ３）を形成しており、前記カバー本体（Ｈ）は雄本体（Ｍ１）と雌本体（Ｆ１）の内の一方に嵌着し、前記延長片（Ｅ）は雌雄結合された雄本体（Ｍ１）と雌本体（Ｆ１）の内の他方の少なくとも背面の一部を覆うことを特徴とする請求項１に記載のバックルカバー。
【請求項３】
前記延長片（Ｅ）は雌雄結合された雄本体（Ｍ１）と雌本体（Ｆ１）の内の他方のベルト取付部（Ｍ２、Ｆ２）を覆う位置まで延設していることを特徴とする請求項１又は２に記載のバックルカバー。
【請求項４】
前記延長片（Ｅ）はカバー本体（Ｈ）側から延長先端側にいくに従って雌雄バックル（Ｍ、Ｆ）の背面から離れていることを特徴とする請求項１〜３のいずれか１項に記載のバックルカバー。
【請求項５】
前記カバー本体（Ｈ）の側壁（Ｈ１）から突出して前記延長片（Ｅ）の側縁（Ｅ１）につながる延長側壁（Ｅ２）を、前記カバー本体（Ｈ）及び延長片（Ｅ）と一体成形していることを特徴とする請求項１〜４のいずれか１項に記載のバックルカバー。
【請求項６】
前記カバー本体（Ｈ）は雌本体（Ｆ１）に嵌着し、前記延長片（Ｅ）は雄本体（Ｍ１）の背面を覆うことを特徴とする請求項１〜５のいずれか１項に記載のバックルカバー。
【請求項７】
前記雌バックル（Ｆ）は雌本体（Ｆ１）に前記ソケット部（Ｆ３）に係合した雄バックル（Ｍ）の差込部（Ｍ３）を露出してこれを係合解除可能にするための切欠部（Ｆ４）を有しており、前記カバー本体（Ｈ）は前記切欠部（Ｆ４）に対応して差込部（Ｍ３）を露出する開放部（Ｈ２）を形成していることを特徴とする請求項６に記載のバックルカバー。
【請求項８】
前記雌バックル（Ｆ）は雌本体（Ｆ１）に前記ソケット部（Ｆ３）に係合した雄バックル（Ｍ）の差込部（Ｍ３）を露出してこれを係合解除可能にするための切欠部（Ｆ４）を有しており、前記カバー本体（Ｈ）は前記切欠部（Ｆ４）に対応して差込部（Ｍ３）を覆いかつ外方からの差込部（Ｍ３）を係合解除する操作力を伝達すべく弾性変形可能な解除操作部（Ｈ３）を形成していることを特徴とする請求項６に記載のバックルカバー。
【請求項９】
前記カバー本体（Ｈ）の解除操作部（Ｈ３）は前記切欠部（Ｆ４）側に突出して前記差込部（Ｍ３）と当接する当接凸部（Ｈ４）を有していることを特徴とする請求項８に記載のバックルカバー。
【請求項１０】
前記カバー本体（Ｈ）は雄本体（Ｍ１）に嵌着し、前記延長片（Ｅ）は雌本体（Ｆ１）の背面を覆うことを特徴とする請求項１〜５のいずれか１項に記載のバックルカバー。
【請求項１１】
前記請求項１〜１０のいずれか１項に記載のバックルカバー（１）を備えていることを特徴とするバックル。
【発明の詳細な説明】
【技術分野】
【０００１】
本発明は、筒状の形状の雌バックルと、この雌バックル内に差し込まれる差込部を備え、雌バックルに係合される雄バックルとから構成されるバックルカバー及びそのバックルカバーを用いたバックルに関する。
【背景技術】
【０００２】
差込部を備えた雄バックルと、この雄バックルの差込部を受け入れる筒状の雌バックルとから構成される、合成樹脂製のバックルがある。
このようなバックルは、例えばヘルメット等のベルト（あご紐）に用いられることもある。連結前は雄バックルと雌バックルとは別体のものであり、雄バックルと雌バックルとを接近させて連結する。このとき、連結前は別体であった雄バックルと雌バックルとが連結後は一体となり、表側及び背面側における雄バックルと雌バックルとの隙間がほぼなくなる。このため、背面側での隙間に布地等が挟み込まれて連結される事態があり得る。特許文献１（米国特許５７２９８７７号公報）は、このような事態を回避するバックルアセンブリを開示する。
【０００３】
この公報に開示されたバックルアセンブリは、挟み込みを防止したバックルアセンブリであって、外向きに延びた係合部を有している雄のラッチ、及び、ラッチのための雌の受け具を備えており、受け具が、本体及び本体内に位置し、本体の係合端に開口を備えており、雄のラッチの係合部に着脱可能に係合するように構成されているチャンバ並びに係合端の開口に隣接して位置し、挿入されようとする雄のラッチへとおおむね向かう方向に開口から実質的に離れるように延びている案内シールドを有しており、案内シールドが、チャンバへとつながる表面を有するとともに、雄のラッチの係合部を雌の受け具の開口へと案内するためのＣ字形のチャネルを定めるために、本体から、雌の受け具の開口に隣接して、案内シールドの外側部分に沿って延びる１対の対向した側壁を備える。これにより、案内シールドが、雄のラッチが雌の受け具のチャンバへと挿入されるときに、雄のラッチの係合部と雌の受け具の本体との間に、布地などといった隣接する柔軟な物質が挟み込まれることがないようにできる。
【特許文献１】米国特許５７２９８７７号公報
【発明の開示】
【発明が解決しようとする課題】
【０００４】
しかしながら、上述した特許文献１に開示されたバックルは、樹脂製のバックルの一部を案内シールドとして（すなわち案内シールドはバックルと一体化されている）、布地などの隣接する柔軟な物質が挟み込まれることを回避する。このため、バックルの製造時に、このような形状の案内シールドを雌バックルに備えさせる必要がある。
また、通常のバックルにおける布地などの挟み込みを回避するためには、新たに案内シールドを有する雌バックルに買い求めて付け替える必要がある。さらに、この場合、係合方法の微妙な差やバックル自体の大きさの違いから、雌バックルを交換するだけでなく雄バックルも交換する必要がある場合が想定される。
【０００５】
そこで、本発明は、上記問題点を鑑み、バックルが布地等を挟み込むことを回避するバックルカバーを提供することを目的とする。さらに、このようなバックルカバーを取り付けたバックルを提供することを目的とする。
【課題を解決するための手段】
【０００６】
本発明における課題解決のための具体的手段は、次の通りである。
本発明に係るバックルカバー１は、第１に、雌雄結合される雄バックルＭと雌バックルＦの内の一方に嵌着したカバー本体Ｈと、このカバー本体Ｈから突出して前記雌雄バックルＭ、Ｆの他方の少なくとも背面の一部を覆う延長片Ｅとを有することを特徴とする。
第２に、前記雄バックルＭはベルト取付部Ｍ２を有する雄本体Ｍ１から差込部Ｍ３を突出しており、前記雌バックルＦはベルト取付部Ｆ２を有する雌本体Ｆ１に前記雄バックルＭの差込部Ｍ３を差し込んで係合するソケット部Ｆ３を形成しており、前記カバー本体Ｈは雄本体Ｍ１と雌本体Ｆ１の内の一方に嵌着し、前記延長片Ｅは雌雄結合された雄本体Ｍ１と雌本体Ｆ１の内の他方の少なくとも背面の一部を覆うことを特徴とする。
【０００７】
第３に、前記延長片Ｅは雌雄結合された雄本体Ｍ１と雌本体Ｆ１の内の他方のベルト取付部Ｍ２、Ｆ２を覆う位置まで延設していることを特徴とする。
第４に、前記延長片Ｅはカバー本体Ｈ側から延長先端側にいくに従って雌雄バックルＭ、Ｆの背面から離れていることを特徴とする。
第５に、前記カバー本体Ｈの側壁Ｈ１から突出して前記延長片Ｅの側縁Ｅ１につながる延長側壁Ｅ２を、前記カバー本体Ｈ及び延長片Ｅと一体成形していることを特徴とする。
第６に、前記カバー本体Ｈは雌本体Ｆ１に嵌着し、前記延長片Ｅは雄本体Ｍ１の背面を覆うことを特徴とする。
【０００８】
第７に、前記雌バックルＦは雌本体Ｆ１に前記ソケット部Ｆ３に係合した雄バックルＭの差込部Ｍ３を露出してこれを係合解除可能にするための切欠部Ｆ４を有しており、前記カバー本体Ｈは前記切欠部Ｆ４に対応して差込部Ｍ３を露出する開放部Ｈ２を形成していることを特徴とする。
第８に、前記雌バックルＦは雌本体Ｆ１に前記ソケット部Ｆ３に係合した雄バックルＭの差込部Ｍ３を露出してこれを係合解除可能にするための切欠部Ｆ４を有しており、前記カバー本体Ｈは前記切欠部Ｆ４に対応して差込部Ｍ３を覆いかつ外方からの差込部Ｍ３を係合解除する操作力を伝達すべく弾性変形可能な解除操作部Ｈ３を形成していることを特徴とする。
【０００９】
第９に、前記カバー本体Ｈの解除操作部Ｈ３は前記切欠部Ｆ４側に突出して前記差込部Ｍ３と当接する当接凸部Ｈ４を有していることを特徴とする。
第１０に、前記カバー本体Ｈは雄本体Ｍ１に嵌着し、前記延長片Ｅは雌本体Ｆ１の背面を覆うことを特徴とする。
これにより、雌雄結合される雄バックルＭと雌バックルＦと間に、布地などといった隣接する柔軟な物質が挟み込まれることを回避できる。
また、カバー本体Ｈは、雄本体Ｍ１と雌本体Ｆ１の内の一方に嵌着しているため、差込部Ｍ３及びソケット部Ｆ３による雌雄結合を妨げることはない。
【００１０】
さらに、延長片Ｅが他方のベルト取付部Ｍ２、Ｆ２を覆う位置まで延設しているため、柔軟な物質の挟み込みを確実に回避できる。
そして、延長片Ｅが延長先端側にいくに従って雌雄バックルＭ、Ｆの背面から離れているため、間口が広がり差込部Ｍ３をソケット部Ｆ３に差し込み易くなる。
また、延長側壁Ｅ２を備えているため、横ずれすることがなく、雄バックルＭ及び雌バックルＦの雌雄結合を確実に行える。
さらに、カバー本体Ｈは、雄本体Ｍ１よりも大きな雌本体Ｆ１に嵌着されているため、バックルカバー１とバックル２との接触面積が増え、抜けにくくなっている。
【００１１】
そして、カバー本体Ｈには、差込部Ｍ３を露出する開放部Ｈ２が形成されているため、差込部Ｍ３とソケット部Ｆ３との係合解除し易くなっている。
また、カバー本体Ｈには、差込部Ｍ３を覆う解除操作部が形成されているため、バックルカバー１の強度が上がる。
さらに、解除操作部Ｈ３が差込部Ｍ３と当接する当接凸部Ｈ４を有するため、差込部Ｍ３とソケット部Ｆ３とを簡単に係合解除することができる。
そして、カバー本体Ｈが雄本体Ｍ１に嵌着されており、カバー本体Ｈを小型化できる。
【００１２】
また、本発明に係るバックル２は、上述したバックルカバー１を備えていることを特徴とする。
これにより、バックル２の結合時に布地等を挟み込むことを回避することができる。
【発明の効果】
【００１３】
本発明に係るバックルカバーは、本体部から延設された延長片で背面側を覆い、バックルの結合時に布地等を挟み込むことを回避することができ、容易に挟み込み防止対策を施すことができる。
【発明を実施するための最良の形態】
【００１４】
以下、本発明に係るバックルカバー１及びそのバックルカバー１を用いたバックル２を図面に基づいて説明する。
＜バックル＞
図１（Ａ）〜図１（Ｃ）は、本発明の第１実施形態に係るバックルカバー１Ａ及びバックルカバー１Ａが嵌着したバックル２（以下、バックル２とは雄バックルＭと雌バックルＦとの組み合わせである雌雄バックルＭ、Ｆを表す）を示す図である。なお、このバックルカバー１Ａは、バックル２に密接に関係するので、まず、バックル２の構造について説明する。
【００１５】
図１（Ｂ）に雄バックルＭとバックルカバー１Ａが嵌着した雌バックルＦとが雌雄結合していない（連結されていない）状態におけるバックル２の斜視図を、図１（Ｃ）に雄バックルＭとバックルカバー１Ａが嵌着した雌バックルＦとが雌雄結合している（連結している）状態におけるバックル２の斜視図を、それぞれ示す。雄バックルＭには、バックルカバーが嵌着されていない。
これらの図１（Ｂ）、図１（Ｃ）に示すように、このバックル２は、一方の端部に導入開口部Ｆ５を備えた筒状の雌バックルＦと、この雌バックルＦの導入開口部Ｆ５より雌バックルＦ内に差し込まれる差込部Ｍ３と備えた雄バックルＭとを組み合わせて構成される。この差込部Ｍ３を雌バックルＦに差し込むことにより、雄バックルＭと雌バックルＦとが雌雄結合される。これにより、雄バックルＭに取り付けられた雄ベルトＭ４と、雌バックルＦに取り付けられた雌ベルトＦ６とが、雄バックルＭ及び雌バックルＦを介して、連結される。このため、雄バックルＭにはベルト取付部（雄ベルト取付部）Ｍ２が、雌バックルＦにはベルト取付部（雌ベルト取付部）Ｆ２が、それぞれ設けられている。なお、連結されるベルトは帯状、紐状のものに限定されない。
【００１６】
雄バックルＭは、突起状の差込部Ｍ３と雄本体Ｍ１とからなり、雄本体Ｍ１には差込部Ｍ３の反対側の端部に雄ベルト取付部Ｍ２が設けられている。
雌バックルＦは、横長の導入開口部Ｆ５を備える扁平な筒状に構成された雌本体Ｆ１からなり、雌本体Ｆ１には導入開口部Ｆ５と反対側の端部に雌ベルト取付部Ｆ２が設けられている。
これらの雄ベルト取付部Ｍ２及び雌ベルト取付部Ｆ２に、それぞれ雄ベルトＭ４及び雌ベルトＦ６を挿通することにより、これらの雄ベルトＭ４、雌ベルトＦ６を適切な取り付けることができる。
【００１７】
雄バックルＭの差込部Ｍ３は、雄バックルＭと雌バックルＦとを対向させたときに、差込部Ｍ３のほぼ中央から突き出す中央案内棒Ｍ５と、中央案内棒Ｍ５と左右の側方にそれぞれほぼ等しい間隔を開けて、中央案内棒Ｍ５と同じ向きにそれぞれ突き出す弾性係合部Ｍ６と、弾性係合部Ｍ６を支持する支持棒Ｍ７とを備えている。なお、中央案内棒Ｍ５よりも、支持棒Ｍ７に支持される弾性係合部Ｍ６の方が短い。これは、雌バックルＦに雄バックルＭが挿入される際に、中央案内棒Ｍ５が雌バックルＦのガイドＦ８に沿って位置決めされて、弾性係合部Ｍ６が雌バックルＦの内部で係合されてなされる連結を容易に実現させるためである。
【００１８】
一方、雌本体Ｆ１は、上面から見てＩ字型の扁平の方形筒状のソケット部Ｆ３を有するように構成されている。この雌本体Ｆ１は、雄バックルＭに対向する筒端に導入開口部Ｆ５を備えるとともに、雄バックルＭと雌バックルＦとが雌雄結合した際に、雌本体Ｆ１の方形筒状の内部で係合した弾性係合部Ｍ６が表出する切欠部Ｆ４を備える（なお、この雌バックルＦの内部で係合することには、切欠部Ｆ４による弾性係合部Ｍ６が係合されることを含む）。
切欠部Ｆ４は、２つの弾性係合部Ｍ６に対応して左右の側方にそれぞれ設けられ、左右内方へ向かって平面視において略半円形状に切り欠かれている。切欠部Ｆ４は、ソケット部Ｆ３に係合した雄バックルＭの差込部Ｍ３を露出してこれを係合解除可能にする。
【００１９】
雌本体Ｆ１は、前後方向の途中部で括れた形状をしており、雌本体Ｆ１の導入開口部Ｆ５側と雌ベルト取付部Ｆ２側とは、雌架橋部Ｆ７により接続されている。
図１（Ｂ）の矢印に示すように、雄バックルＭの差込部Ｍ３を雌バックルＦの導入開口部Ｆ５に差し込ませると、図１（Ｃ）に示すように、雌バックルＦの方形筒状の内部で弾性係合部Ｍ６が係合して、弾性係合部Ｍ６が切欠部Ｆ４から表出して、雄バックルＭと雌バックルＦとが連結される。雄バックルＭと雌バックルＦとの連結を解放する場合には、切欠部Ｆ４から表出している弾性係合部Ｍ６を両側から挟むように押圧して、２つの弾性係合部Ｍ６を中央案内棒Ｍ５側に撓ませて、雄バックルＭと雌バックルＦとを少し引き離すと、雌バックルＦの方形筒状の内部で係合していた差込部Ｍ３の係合が解放される。雄バックルＭと雌バックルＦとをさらに引き離すと、係合が解放され、雄バックルＭと雌バックルＦとの雌雄結合が解放されて別体の雄バックルＭ、雌バックルＦとなる。
【００２０】
このような従来のバックル２（雄バックルＭ及び雌バックルＦ）において、バックル２を連結するときに、連結前は別体であった雄バックルＭと雌バックルＦとが連結後は一体となり、雄バックルＭと雌バックルＦとの隙間がほぼなくなる。このため、不用意にバックル２を連結させると、例えば背面側での隙間に布地などが挟み込まれることがある。第１実施形態に係るバックルカバー１Ａは、このような事態を回避又は抑制することができる。
＜第１実施形態＞
図１（Ａ）はバックルカバー１Ａ単体の斜視図であって、図１（Ｂ）及び図１（Ｃ）は雌バックルＦにバックルカバー１Ａが嵌着された斜視図である。図１（Ａ）に示すように、このバックルカバー１Ａは、雌バックルＦの外側を覆うように雌バックルＦに嵌着する。このバックルカバー１Ａは、伸縮性の良いかつ肌触りの良い、例えば、シリコンゴム等で形成されている。
【００２１】
図１（Ａ）に示すように、バックルカバー１Ａは、雌バックルＦよりも少し大きな外形を有する、上面から見て略Ｉ字型の扁平の方形筒状で構成される。
バックルカバー１Ａは、カバー本体Ｈと、延長片Ｅとからなる
カバー本体Ｈは、元筒部Ｈ５と、雌バックルＦの導入開口部Ｆ５の方形筒状部を覆う先筒部Ｈ６と、元筒部Ｈ５と先筒部Ｈ６とを連結する上側架橋部Ｈ７及び下側架橋部Ｈ８とを備える。
上側架橋部Ｈ７及び下側架橋部Ｈ８は、雌本体Ｆ１の切欠部Ｆ４の形状に沿うように左右の側方にそれぞれ設けられている。上側架橋部Ｈ７及び下側架橋部Ｈ８は、左右内方へ向かって平面視において略半円形状に切り欠かれて形成され（より詳しくは切欠部Ｆ４の形状よりも少なくとも同じか少し小さく形成され）、雌架橋部Ｆ７に対応する形状を備える。ここで、バックルカバー１Ａにおいて少なくとも一部分が中空の略四角柱の形状を備えているとは、バックルカバー１Ａが元筒部Ｈ５及び先筒部Ｈ６を備えていることを指す。
【００２２】
そして、上側架橋部Ｈ７及び下側架橋部Ｈ８は、雌本体Ｆ１の方形筒状の内部で係合した弾性係合部Ｍ６が十分に表出するように構成される。
なお、元筒部Ｈ５及び先筒部Ｈ６の表面部と、上側架橋部Ｈ７とからなる部分を表壁Ｈ９とし、元筒部Ｈ５及び先筒部Ｈ６の背面部と、下側架橋部Ｈ８とからなる部分を背壁Ｈ１０とし、元筒部Ｈ５及び先筒部Ｈ６の側面部を側壁Ｈ１とする。また、上側架橋部Ｈ７及び下側架橋部Ｈ８の左右両側に位置する平面視において略半円形状に切り欠かれた部分を開放部Ｈ２とする。
【００２３】
延長片Ｅは、延長本体Ｅ３と、延長側壁Ｅ２とからなる。
延長本体Ｅ３は、略矩形の板状であり、先筒部Ｈ６の背面側における先端から、雄バックルＭと雌バックルＦとの連結面を越えて延設されている。延長本体Ｅ３の長さは、雄本体Ｍ１の雄ベルト取付部Ｍ２の背面側を覆う位置まで届くように設定されている。延長本体Ｅ３の先端縁は平面視円弧状に形成されている。また、延長本体Ｅ３は、カバー本体Ｈ側から延長先端側にいくに従ってバックル２の背面から離れているように湾曲している。
延長側壁Ｅ２は、側面視略三角形の板状であり、カバー本体Ｈの側壁Ｈ１から突出して延長片Ｅ（延長本体Ｅ３）における左右の側縁Ｅ１につながって一体形成されている。
【００２４】
雄バックルＭと雌バックルＦとが連結された状態における、上面図（表面図）を図２（Ａ）に、側面図を図２（Ｂ）に、背面図を図２（Ｃ）に、それぞれ示す。
雄バックルＭの差込部Ｍ３が雌バックルＦと雌雄結合して、切欠部Ｆ４から弾性係合部Ｍ６が表出している。このときの雄バックルＭと雌バックルＦとの背面側連結面Ｈ１１を図２（Ｃ）に示す。この図２（Ｃ）に示す側が背面側であって、雄バックルＭ及び雌バックルＦの隙間に布地などが当接する側である。
このバックルカバー１Ａが嵌着していない場合には、この背面側連結面Ｈ１１が布地などに当接しているので、背面側連結面Ｈ１１が布地などを挟み込む場合があり得る。しかしながら、バックルカバー１Ａの延長片Ｅが、この背面側連結面Ｈ１１を超えてさらに雄バックルＭ側へ延びていて、布地などは延長片Ｅに当接しているに過ぎず、背面側連結面Ｈ１１に当接していない。このため、背面側連結面Ｈ１１が布地などを挟み込むことを回避又は抑制できる。
【００２５】
さらに、図３に図２（Ｂ）の矢示Ｘ−Ｘ方向の断面図を、図４に図２（Ｂ）の矢示Ｙ方向から見た図を、図５に図２（Ａ）の矢示Ｚ−Ｚ方向の断面図を、それぞれ示す（ただし図４は雌ベルトＦ６を図示していない）。
図３に示すように、雌バックルＦの内部には、雄バックルＭの差込部Ｍ３の中央案内棒Ｍ５を案内するガイドＦ８が上下に中央案内棒Ｍ５の幅よりも少し大きい間隔を開けて設けられている。このガイドＦ８が設けられる雌架橋部Ｆ７の表面側（さらに上方）にバックルカバー１Ａの上側架橋部Ｈ７が密着して嵌着し、雌架橋部Ｆ７の背面側（さらに下方）にバックルカバー１Ａの下側架橋部Ｈ８が密着して嵌着している。なお、図３の点線は、バックルカバー１Ａの元筒部Ｈ５の断面を示している。
【００２６】
また、図４に示すように、雌バックルＦを雌ベルト取付部Ｆ２の方から見ると、雌バックルＦの雌ベルト取付部Ｆ２の周囲を覆うように、バックルカバー１Ａの元筒部Ｈ５が密着して嵌着している。
さらに、図５に示すように、表壁Ｈ９の後端部は、雌本体Ｆ１の雌ベルト取付部Ｆ２側の後端上部を上から抱き込み、背壁Ｈ１０の後端部は、雌本体Ｆ１の雌ベルト取付部Ｆ２側の後端下部を下から抱き込み、バックルカバー１Ａが雄バックルＭ側へ抜けることを防止している。背壁Ｈ１０の後端部の左右中央は、平面視において矩形状に切り欠かかれている（図２（Ｂ）、（Ｃ）、図４も参照）。
【００２７】
なお、ガイドＦ８は、雌バックルＦの雌ベルト取付部Ｆ２側で扁平な筒状の雌バックルＦを上下方向に連結する支柱Ｆ９となって、雌バックルＦの強度を上げている。
なお、バックルカバー１Ａの先筒部Ｈ６の表面側は、延長片Ｅよりも短く、ほぼ表面側の連結面近傍までしかないので、雌バックルＦに雄バックルＭを連結させるときに、バックルカバー１Ａが邪魔になることはない。さらに、図２（Ａ）に示すように、バックルカバー１Ａの上側架橋部Ｈ７及び下側架橋部Ｈ８は、切欠部Ｆ４の形状よりも少なくとも小さくなるように形成されており、弾性係合部Ｍ６が切欠部Ｆ４から十分に表出している。このため、雄バックルＭと雌バックルＦとの連結を解放するときに切欠部Ｆ４から表出している弾性係合部Ｍ６を挟むように押圧する場合に、バックルカバー１Ａが邪魔になることはない。
【００２８】
以下に、雌バックルＦ（従来の雌バックル）に、バックルカバー１Ａが嵌着する場合について説明する。
図１（Ｂ）に示すように、雄バックルＭと雌バックルＦとの連結を開放し、雌バックルＦから雌ベルトＦ６を外した後、バックルカバー１Ａの先筒部Ｈ６を雌バックルＦの後端側から挿入する。このとき、バックルカバー１Ａが雌バックルＦに嵌着した後に互いに密着して位置がずれないように、バックルカバー１Ａは、雌バックルＦよりも大きく製作されていない。このため、シリコンゴム製のバックルカバー１Ａを少し引き伸ばすようにして、雌バックルＦの後端側からバックルカバー１Ａの先筒部Ｈ６を挿入するようにするとよい。バックルカバー１Ａの先筒部Ｈ６が導入開口部Ｆ５の位置まで来ていて、延長片Ｅが雄バックルＭと雌バックルＦとの背面側連結面Ｈ１１を覆っていると、バックルカバー１Ａの雌バックルＦへの嵌着が完了する。
＜第２実施形態＞
図６には、本発明の第２実施形態のバックルカバー１Ｂが示されている。
【００２９】
第２実施形態のバックルカバー１Ｂが、第１実施形態と最も異なるところは、表壁Ｈ９の開放部Ｈ２の周縁に沿って厚みを有するＸ字型のカバーガイドＨ１２と、側壁Ｈ１の開放部Ｈ２の周縁に沿ってガイド端Ｈ１３とを有している点にある。
なお、表壁Ｈ９のカバーガイドＨ１２及び側壁Ｈ１のガイド端Ｈ１３のいずれかのみを有するものであっても構わない。
これらのカバーガイドＨ１２及びガイド端Ｈ１３は、切欠部Ｆ４の近傍で、バックルカバー１Ｂの外表面（表壁Ｈ９側と側壁Ｈ１側の外表面）に突出した凸部を形成している。このため、手探りであっても切欠部Ｆ４を容易に認識できる。したがって、目視困難な暗闇であっても、解放されたバックル２を容易に連結したり、連結されたバックル２を容易に開放したりすることができる。
＜第３実施形態＞
図７には、本発明の第３実施形態のバックルカバー１Ｃが示されている。
【００３０】
第３実施形態のバックルカバー１Ｃが、第１実施形態と最も異なるところは、カバー本体Ｈに、外方からの差込部Ｍ３を係合解除する操作力を伝達すべく差込部Ｍ３を覆う弾性変形可能な解除操作部Ｈ３を形成している点にある。
解除操作部Ｈ３は、カバー本体Ｈの表壁Ｈ９、側壁Ｈ１及び背壁Ｈ１０の前後方向中途部に亘って、左右それぞれ設けられている。解除操作部Ｈ３は、雌本体Ｆ１の切欠部Ｆ４を覆うように、左右内方に向かって平面視において略半円形状に、カバー本体Ｈに一体形成されたものである。また、解除操作部Ｈ３は、バックルカバー１Ｃの側壁Ｈ１がやや凹むように設定されている。
【００３１】
解除操作部Ｈ３の内面壁は、切欠部Ｆ４に係合された弾性係合部Ｍ６の外側壁に当接又はごく短い距離をもって対向している。したがって、解除操作部Ｈ３を左右から挟むように押圧すると、２つの弾性係合部Ｍ６を中央案内棒Ｍ５側に撓ませ、雄バックルＭと雌バックルＦとを少し引き離すことで、雌バックルＦの方形筒状の内部で係合していた差込部Ｍ３の係合が容易に解放される。
＜第４実施形態＞
図８には、本発明の第４実施形態のバックルカバー１Ｄが示されている。
【００３２】
第４実施形態のバックルカバー１Ｄが、第１実施形態と最も異なるところは、カバー本体Ｈに設けられた解除操作部Ｈ３が、切欠部Ｆ４側に突出して差込部Ｍ３と当接する当接凸部Ｈ４を有している点にある。
第４実施形態における解除操作部Ｈ３は、第３実施形態と異なり、バックルカバー１Ｄの側壁Ｈ１がやや突出するように設定されている。
また、当接凸部Ｈ４は、切欠部Ｆ４に係合された弾性係合部Ｍ６の外側壁に当接するように膨んだ突起であり、解除操作部Ｈ３の内面壁に設けられている。つまり、当接凸部Ｈ４の部分の肉厚が最も厚く形成されている。
【００３３】
したがって、解除操作部Ｈ３を左右から挟むように少し押圧するだけで、２つの弾性係合部Ｍ６を中央案内棒Ｍ５側に撓ませ、雄バックルＭと雌バックルＦとを少し引き離すことで、雌バックルＦの方形筒状の内部で係合していた差込部Ｍ３の係合が容易に解放される。
＜第５実施形態＞
図９には、本発明の第５実施形態のバックルカバー１Ｅが示されている。
第５実施形態のバックルカバー１Ｅが、第１実施形態と最も異なるところは、カバー本体Ｈが雄本体Ｍ１に嵌着している点にある。
【００３４】
図９（Ａ）〜図９（Ｃ）は、本発明の第５実施形態に係るバックルカバー１Ｅ及びバックルカバー１Ｅが嵌着したバックル２を示す図である。図９（Ａ）にバックルカバー１Ｅ単体の斜視図を、図９（Ｂ）にバックルカバー１Ｅが嵌着した雄バックルＭと雌バックルＦとが係合していない（連結されていない）状態におけるバックル２の斜視図を、図９（Ｃ）にバックルカバー１Ｅが嵌着した雄バックルＭと雌バックルＦとが係合している（連結している）状態におけるバックル２の斜視図を、それぞれ示す。雌バックルＦには、バックルカバーが嵌着していない。
【００３５】
バックルカバー１Ｅは、雄バックルＭよりも少し大きな外形を有した扁平の方形筒状で構成され、カバー本体Ｈと、延長片Ｅとからなる
カバー本体Ｈは、雄ベルト取付部Ｍ２の後端側を覆う元筒部Ｈ５と、差込部Ｍ３の根元を覆う先筒部Ｈ６と、雄ベルト取付部Ｍ２の一部を開放した状態で覆うための開口部Ｈ１４とを備える。
開口部Ｈ１４は、表壁Ｈ９の略中央に切り抜かれた略四角形状の孔である。開口部Ｈ１４の幅は、雄ベルトＭ４の幅と略同一またはやや大きく設定されており、この開口部Ｈ１４から雄ベルト取付部Ｍ２のベルトループを伸ばしたり縮めたりすることができる。
【００３６】
第５実施形態における延長片Ｅは、第１実施形態の延長片Ｅの構成と同様であり、差込部Ｍ３の直下に位置する。また、延長片Ｅと差込部Ｍ３との距離は、雄バックルＭと雌バックルＦとの雌雄結合に支障がないように、ソケット部Ｆ３における背面側の壁の厚みと略同一またはやや長く設定されている。
なお、元筒部Ｈ５及び先筒部Ｈ６の表面部と、開口部Ｈ１４とからなる部分を表壁Ｈ９とし、元筒部Ｈ５及び先筒部Ｈ６の背面部からなる部分を背壁Ｈ１０とし、元筒部Ｈ５及び先筒部Ｈ６の側面部を側壁Ｈ１とする。
【００３７】
雄バックルＭ（従来の雄バックル）にバックルカバー１Ｅが嵌着する場合には、図９（Ｂ）に示すように、雄バックルＭと雌バックルＦとの連結を開放し、雄バックルＭから雄ベルトＭ４を外し、バックルカバー１Ｅの先筒部Ｈ６を雄バックルＭの後端側から挿入する。バックルカバー１Ｅの先筒部Ｈ６が差込部Ｍ３の根元の位置まで来て、バックルカバー１Ｅの雄バックルＭへの嵌着が完了する。
なお、本発明は、前述した実施形態に限定されるものではない。バックルカバー１等の各構成または全体の構造、形状、寸法などは、本発明の趣旨に沿って適宜変更することができる。
【００３８】
バックルカバー１がバックル２から脱落しないのであれば、バックルカバー１はバックル２よりも大きく製作されていてもよい。また、バックル２の製造時にバックルカバー１が嵌着して、バックルカバー１付きバックル２として市場に流通させても構わない。
【図面の簡単な説明】
【００３９】
【図１】本発明の第１実施形態に係るバックルカバー及びバックルカバーが嵌着したバックルを示す図である。
【図２】第１実施形態に係るバックルカバーが嵌着したバックルの上面図、側面図及び背面図である。
【図３】図２（Ｂ）の矢示Ｘ−Ｘ方向の断面図である。
【図４】図２（Ｂ）の矢示Ｙ方向の図である。
【図５】図２（Ａ）の矢示Ｚ−Ｚ方向の断面図である。
【図６】本発明の第２実施形態に係るバックルカバーが嵌着したバックルの上面図及び背面図である。
【図７】本発明の第３実施形態に係るバックルカバーが嵌着したバックルの上面図及び背面図である。
【図８】本発明の第４実施形態に係るバックルカバーが嵌着したバックルの上面図及び背面図である。
【図９】本発明の第５実施形態に係るバックルカバーが嵌着したバックルの上面図及び背面図である。
【符号の説明】
【００４０】
１（１Ａ〜１Ｅ）バックルカバー
２              バックル
Ｈ              カバー本体
Ｈ１            側壁
Ｈ２            開放部
Ｈ３            解除操作部
Ｈ４            当接凸部
Ｅ              延長片
Ｅ１            側縁
Ｅ２            延長側壁
Ｍ              雄バックル
Ｍ１            雄本体
Ｍ３            差込部
Ｆ              雌バックル
Ｆ１            雌本体
Ｆ３            ソケット部
Ｆ４            切欠部
【図１】
2010042101.tif 000003
【図２】
2010042101.tif 000004
【図３】
2010042101.tif 000005
【図４】
2010042101.tif 000006
【図５】
2010042101.tif 000007
【図６】
2010042101.tif 000008
【図７】
2010042101.tif 000009
【図８】
2010042101.tif 000010
【図９】
2010042101.tif 000011